(57)【要約】【課題】楔１の打ち込み作業を容易に行なえ、かつ、楔１が取付け用溝２から逃げず、見栄えよく納めることのできる踏み板の取付け構造を提供する。【解決手段】側板４に手前側に開口する取付け用溝２を設けて、この取付け用溝２に踏み板３を挿着し、この踏み板３の下面と取付け用溝２との間に形成される隙間を埋めるように楔１を挿着固定してなる踏み板３の取付け構造において、上記楔１は先端部に向かうほど幅が小になるとともに、厚みも小となる四角錘台とされる。【選択図】図２
2004143866.tif 000002
【特許請求の範囲】
【請求項１】
側板に手前側に開口する取付け用溝を設けて、この取付け用溝に踏み板を挿着し、この踏み板の下面と取付け用溝との間に形成される隙間を埋めるように楔を挿着固定してなる踏み板の取付け構造において、上記楔は先端部に向かうほど幅が小になるとともに、厚みも小となる四角錘台とされた踏み板の取付け構造。
【請求項２】
上記楔の断面が略正方形とされた請求項１に記載の踏み板の取付け構造。
【請求項３】
上記楔の断面が略長方形とされた請求項１に記載の踏み板の取付け構造。
【請求項４】
上記楔の４つの側面に楔固定用ビス孔が設けられた請求項１に記載の踏み板の取付け構造。
【請求項５】
上記楔と、上記踏み板と上記取付け用溝の少なくとも一つとが接着された請求項１に記載の踏み板の取付け構造。
【発明の詳細な説明】
【０００１】
【発明の属する技術分野】
本発明は、踏み板の取付け構造に関する。さらに詳しくは、踏み板を固定するために、踏み板止め用楔を用いる階段の踏み板の取付け構造に関する。
【０００２】
【従来の技術】
従来から、階段を構成するにあたって、その主要部材である踏み板を側板に固定するための技術が種々開示されている。例えば、本願図３に示すように、側板４に手前側に開口する取付け用溝２を設けて、この取付け用溝２に踏み板３を挿着し、この踏み板３の下面と取付け用溝２との間に形成される隙間を埋めるように楔７を挿着し、楔固定用ビスＢで固定する踏み板３の取付け構造が知られている。図３において、符号５は、蹴込み板を表し、符号６は、親柱を表す。また、図４は、上記楔７の本体を示す斜視図である（特許文献１参照）。図５は、図３に示す踏み板の取付け構造の要部を示す縦断面図である。また、図６は、断面Ｔ字型の楔８を用いる他の踏み板の取付け構造の要部を示す縦断面図である（特許文献２参照）。
【０００３】
【特許文献１】
特開平８−１９３３９８号公報（第１−３頁、第１図、第５図）
【特許文献２】
特開平９−１３７５７０号公報（第１−３頁、第１図、第２図）
【０００４】
【発明が解決しようとする課題】
しかしながら、上記踏み板の取付け構造にあっては、階段の背後から、踏み板の下面と取付け用溝との隙間に楔を打ち込むのであるが、その際、楔は平面視略長方形であるため、打ち込み角度を直角に保つ必要がある。また、正確に打ち込んでも、取付け用溝の側面と、楔の側面とが楔の全長に亘って接触するため、打ち込む間に楔の先端部が逃げ、楔が部分的に取付け用溝からはみ出し、作業性が悪いという問題がある。そこで、本発明は、楔の打ち込み作業を容易に行なえ、かつ、楔が取付け用溝から逃げず、見栄えよく納めることのできる踏み板の取付け構造を提供することをその課題とする。
【０００５】
【課題を解決するための手段】
本発明は、上記課題を解決するために考え出されたものであって、つぎのような技術的手段を講じている。すなわち、本発明によれば、側板に手前側に開口する取付け用溝を設けて、この取付け用溝に踏み板を挿着し、この踏み板の下面と取付け用溝との間に形成される隙間を埋めるように楔を挿着固定してなる踏み板の取付け構造において、上記楔は先端部に向かうほど幅が小になるとともに、厚みも小となる四角錘台とされた踏み板の取付け構造が提供される。このようにすることによって、踏み板を取付け用溝を介して側板に、作業性よく取付けることができる。
【０００６】
上記楔の断面は、略正方形とされる。このようにすることにより、上記楔は、先端部に近づくにつれて、その幅が狭くなり先細となっているため、打ち込み方向が多少ずれても、先端部が踏み板の取付け用溝の側面と接触して逃げることはない。さらに、楔の打ち込みが進むと、楔の側面と上記取付け用溝の側面とが徐々に接触して、取付け用溝に見栄えよく納めることができる。また、本形態においては、上記のように、断面略正方形で、４つの側面が同一であるため使い勝手がよく、楔の共通化が図れるという効果もある。
【０００７】
上記楔の断面は略長方形とされる。このようにすることにより、上記と同じ理由で、本発明にかかる楔を、作業性よく、かつ、取付け用溝に見栄えよく納めることができる。本形態においては、踏み板の下面と上記取付け用溝との間の隙間が浅い場合は、上記楔の断面が横長の長方形となるように用い、深い場合は、縦長の長方形となるように用いることができる。このように、現場で両方を適宜使い分けができるため、使い勝手がよく、また、階段構成用の部材を減らすこともできる。
【０００８】
上記楔の４つの側面には、楔固定用ビス孔が設けられる。このようにすることにより、本発明にかかる楔の、いずれの面が側面に現れても、その側面には、楔固定用ビス孔が設けられているため、ビス、釘等で容易に固定することが可能となり、楔が外れたり、抜けたりすることを防げる。
【０００９】
上記楔と、上記踏み板と上記取付け用溝の少なくとも一つとが接着されることが好ましい。すなわち、上記楔と上記踏み板との接触面もしくは、上記楔と上記取付け用溝との接触面または、上記楔と上記踏み板との接触面および上記楔と上記取付け用溝との接触面を接着することが好ましい。このようにすることによって、楔を踏み板の下面と取付け用溝との隙間にしっかりと接着させることが可能となり、楔が外れたり、抜けたりすることを防げる。
【００１０】
【発明の実施の形態】
以下、本発明の好ましい実施の形態について、従来技術と対比しながら、詳細に説明する。図１は、本発明にかかる踏み板の取付け構造に用いる楔１の本体斜視図である。図１からよくわかるように、楔１は、手元側の幅ｗが、先端部の幅ｗ１よりも大とされており、また、楔１の本来的な形状として、先端部の厚みｔ２が、手元側の厚みｔ１よりも小とされている。また、楔１の４つの側面には、楔１をビス等で固定するための楔固定用ビス孔１１がそれぞれ設けられている。
【００１１】
一方、従来技術に用いられる楔７は、図４に示されているように、手元側の幅ｗは、先端部の幅ｗと同じであり、厚みは、図１と同様に、楔１の本来的な形状として、先端部の厚みｔ２が、手元側の厚みｔ１よりも小である。このように、本発明にかかる楔１は、楔７と対比して、先細となる四角錐台であるため、既述したように、取付け用溝２の側面と、楔１の側面とが全長に亘って接触することはなく、打ち込む間に楔１の先端部が逃げることはない。その結果、図２の斜視図において、矢印で示す楔１の打ち込み方向が直角から多少ずれても、容易に、かつ、スムースに楔１を打ち込むことができ、また、見栄えもよいものとなる。
【００１２】
楔１の打ち込み作業を終了した後に、側面に現れた楔固定用ビス孔１１を通じてビス留めし、楔１が外れたり、抜けたりすることを防止する。さらに、楔１を打ち込む前に、踏み板３の楔１との接触面あるいは、取付け用溝２の楔１との接触面または、その双方に、予め接着剤を塗布しておけば、さらに、しっかりと楔１を接着固定することができる。
【００１３】
【発明の効果】
以上述べたように、請求項１に記載の発明は、側板４に手前側に開口する取付け用溝２を設けて、この取付け用溝２に踏み板３を挿着し、この踏み板３の下面と取付け用溝２との間に形成される隙間を埋めるように楔１を挿着固定してなる踏み板３の取付け構造において、上記楔１は先端部に向かうほど幅が小になるとともに、厚みも小となる四角錘台とされた踏み板３の取付け構造である。このようにすることによって、踏み板３を取付け用溝２を介して側板４に、作業性よく取付けることができる。
【００１４】
請求項２に記載の発明は、上記楔１の断面は、略正方形とされる。このようにすることにより、請求項１に記載の発明の効果に加えて、上記楔１は、先端部に近づくにつれて、その幅が狭くなり先細となっているため、打ち込み方向が多少ずれても、先端部が踏み板３の取付け用溝２の側面と接触して逃げることはない。さらに、楔１の打ち込みが進むと、楔１の側面と上記取付け用溝２の側面とが徐々に接触して、取付け用溝２に見栄えよく納めることができる。また、本形態においては、上記のように、断面略正方形で、４つの側面が同一であるため使い勝手がよく、楔１の共通化が図れるという効果もある。
【００１５】
請求項３に記載の発明は、上記楔１の断面が略長方形とされる。このようにすることにより、請求項１に記載の発明の効果に加えて、本発明にかかる楔１を、作業性よく、かつ、取付け用溝２に見栄えよく納めることができる。さらに、踏み板３の下面と上記取付け用溝２との間の隙間が浅い場合は、上記楔１の断面が横長の長方形となるように用い、深い場合は、縦長の長方形となるように用いることができる。このように、現場で両方を適宜使い分けができるため、使い勝手がよく、また、階段構成用の部材を減らすこともできる。
【００１６】
請求項４に記載の発明は、上記楔１の４つの側面には、楔固定用ビス孔１１が設けられる。このようにすることにより、請求項１に記載の発明の効果に加えて、本発明にかかる楔１の、いずれの面が側面に現れても、その側面には、楔固定用ビス孔１１が設けられているため、ビス、釘等で容易に固定することが可能となり、楔１が外れたり、抜けたりすることを防げる。
【００１７】
請求項５に記載の発明は、上記楔１と、上記踏み板３と上記取付け用溝２の少なくとも一つが接着される。すなわち、上記楔１と上記踏み板３との接触面もしくは、上記楔１と上記取付け用溝２との接触面または、上記楔１と上記踏み板３との接触面および上記楔１と上記取付け用溝２との接触面が接着される。このようにすることによって、請求項１に記載の発明の効果に加えて、楔１を踏み板３の下面と取付け用溝２との隙間にしっかりと接着させて、楔１が外れたり、抜けたりすることを防げる。
【図面の簡単な説明】
【図１】本発明にかかる踏み板の取付け構造に用いる楔の本体斜視図である。
【図２】上記楔を踏み板の取付け用溝に打ち込む状態を示す斜視図である。
【図３】従来技術による階段を構成する主要部材を示す分解斜視図である。
【図４】従来技術による踏み板の取付け構造に用いられる楔の本体斜視図である。
【図５】従来技術による踏み板の取付け構造の要部を示す縦断面図である。
【図６】他の従来技術による踏み板の取付け構造の要部を示す縦断面図である。
【符号の説明】
１　　　　　本発明にかかる踏み板の取付け構造に用いる楔
１１　　　　楔固定用ビス孔
２　　　　　取付け用溝
３　　　　　踏み板
４　　　　　側板
５　　　　　蹴込み板
６　　　　　親柱
７　　　　　従来技術による踏み板の取付け構造に用いる楔
８　　　　　他の従来技術による踏み板の取付け構造に用いる楔
Ｂ　　　　　楔固定用ビス
【図１】
2004143866.tif 000003
【図２】
2004143866.tif 000004
【図３】
2004143866.tif 000005
【図４】
2004143866.tif 000006
【図５】
2004143866.tif 000007
【図６】
2004143866.tif 000008